(57)【要約】【課題】紙製の筒状袋体において、従来と同様の強度を保ちながら、開封作業がより楽になると共に、カットテープのような廃棄物が出ない、環境に配慮した紙袋の提供。また、開封の際、紙粉が出ないことで異物混入の心配のない紙袋を提供すること。【解決手段】紙製筒状袋体の開封部側の折り畳み部に、引っ張りには強くかつ剥がし易い性質を持たせた剥離糊５を塗布し、開封部側の端部に折り返し部２を形成することで、開封の際、カットテープを使わず、化粧紙３ごと引きはがすため、環境に優しいと共に、糊層部分が剥離することで、引きはがす際の紙粉が出ないため、異物混入の心配のない開封が容易な紙袋であることを特徴とする。【選択図】   図１
2009107689.tif 000002
【特許請求の範囲】
【請求項１】
紙製の筒状袋体の開封部側の折り畳み部の４隅部分を完全に覆うような化粧紙で貼着して封止されている開封容易紙袋において、化粧紙は、紙製の筒状袋体外部側の折り畳み部に接着剤によって密着し、その内容物の重量に耐えうる坪量７０ｇ／ｍ２〜１５０ｇ／ｍ２の厚さの紙製であることを特徴とする開封容易紙袋。
【請求項２】
化粧紙を紙製の筒状袋体外部側の折り畳み部に接着させる接着剤として、酢酸ビニール系あるいはアクリル系とワックス系とを混合した剥離糊を塗布していることを特徴とする請求項１記載の開封容易紙袋。
【請求項３】
化粧紙の３０％〜１００％の面積に接着剤を塗布していることを特徴とする請求項１記載の開封容易紙袋。
【請求項４】
化粧紙は、筒状袋体の開封を容易にするために筒状袋体の開封部側の端部を、５ｍｍ〜２０ｍｍの幅の一重または二重折りした折り返し部を形成している請求項１〜３のうちいずれかに記載の開封容易紙袋。
【発明の詳細な説明】
【技術分野】
【０００１】
本発明は紙製の筒状袋体において、開封を容易にした開封容易紙袋に関する。
【背景技術】
【０００２】
食品、飼料、化学品等の粉体は、クラフト紙袋等に収納包装されて流通されている。従来、この種のクラフト紙袋はミシン縫いによって口が閉じられていたが、開封に手間がかかったり、ミシン目の隙間から粉体が漏れ出たり、逆に異物が内部に混入し易かったり、開封時にミシン糸が製品に混入するという問題があった。このため、底部を折り畳んで糊貼りする方法（特許文献３参照）、開口端部を折り返して接着や融着により閉鎖する方法（特許文献４参照）が採用されるようになってきた。確かに開封性は格段に容易になり、折り返すことで、粉漏れも防止することができたが、折り返し部分を接着する化粧紙には、カットテープと呼ばれる合成樹脂の薄い開封テープがその全幅に亘って伸長させて貼り付けてあるため、依然として開封時には、分離除去したカットテープが廃棄のし忘れなどの手違いで紙袋から出された内容物に入り込むという問題点が残った。このような問題点を解決する方法として、カットテープが最後まで分離切除することなく、化粧紙に接続した状態で開封することができる方法も提案されている。（特許文献１〜２参照）
【０００３】
【特許文献１】実開昭６４−２０４５１号公報
【特許文献２】特開２０００−８５７９２号公報
【特許文献３】特開２００１−５８６５２号公報
【特許文献４】特開２００５−７５４３７号公報
【発明の開示】
【発明が解決しようとする課題】
【０００４】
しかしながら、最近の食品業界の異物混入に対する厳しい状況を反映して、カットテープを引いたときにわずかに発生する紙粉も、異物混入の対象とする向きも出てきており、この問題の解決が望まれていた。
本発明は上記の点に鑑みなされたもので、貼ってもきれいに剥がせる剥離糊を使用することで、従来の強度は保ちながら、開封の際、化粧紙ごと引きはがすため、カットテープが不要となり、その結果、環境に優しいと共に、開封時に、化粧紙に塗布してある剥離糊の糊層が剥離することで、引きはがす際の紙粉が発生せず、異物混入の心配のない開封が容易な紙袋を提供することを目的とする。
【課題を解決するための手段】
【０００５】
紙製筒状袋体の開封部側の折り畳み部に、化粧紙を貼着して封止されている開封容易紙袋である。
化粧紙は、形状に限定するものではなく、紙製の筒状袋体外部側の折り畳み部を完全に覆う大きさであって、接着剤を塗布している。
化粧紙は、紙製の筒状袋体外部側の折り畳み部に接着剤によって密着し、その内容物の重量に耐えうる厚さの紙製である。具体的には、坪量が７０ｇ／ｍ２〜１５０ｇ／ｍ２の間が好ましい。
化粧紙に塗布する接着剤として、酢酸ビニール系やアクリル系と、ワックス系とを混合した剥離糊であって、酢酸ビニール系などの化学糊に撥水効果のあるＷＡＸ系を１０％〜５０％の割合で混ぜ合わせることで引っ張りには強くかつ剥がし易い性質を持たせた剥離糊が塗布されている。
酢酸ビニール系は酢酸ビニール系重合体と酢酸ビニール系共重合体である。アクリル系は、アクリル酸エステルあるいはメタクリル酸エステルの重合体で、非晶質の合成樹脂である。また、ワックス系は一般の炭素数２０〜４０程度のものである。
化粧紙には、接着剤を表面に３０％〜１００％の面積で塗布していると共に、筒状袋体の開封を容易にするために筒状袋体の開封部側の端部を、指で持ちやすくするために、５ｍｍ〜２０ｍｍの幅の一重又は二重折りした折り返し部を形成しており、その折り返し部には、接着剤を塗布しなくてもよい。
【発明の効果】
【０００６】
本発明の開封容易紙袋は、開封が従来の製品より容易であるとともに、環境に優しく、紙袋の開封時に発生しうる異物の混入を極限まで抑えた。詳しい内容は以下の通り。
（１）カットテープのようなプラスチック素材を使用しないため、環境に優しい。
（２）カットテープが間違って異物混入の原因になることを防げる。
（３）開封時に紙粉が出ないため、異物混入を防げる。
（４）端部に剥離糊を塗布していない折り返し部を設けることで、そこに指を引っかけて開封することで、従来のカットテープ方式より、手間がかからずスピーディーかつスムーズに開封できる。
【発明を実施するための最良の形態】
【０００７】
以下、本発明の開封容易紙袋の一実施態様を図面に基づき説明する。
図１は、紙製筒状袋体の開封部側の折り畳み部に、化粧紙を貼着している状態を示している。
【０００８】
図１の３の化粧紙は、坪量が７０ｇ／ｍ２〜１５０ｇ／ｍ２の間が好ましく、開封部側の折り畳み部を図１のように完全に覆うことで、内容物の重量に耐えうる強度を持つことができ、同時に内容物が漏れることを防ぐことができる。
【０００９】
この化粧紙は、カットテープを有しないことが従来の構造と大きく異なる点であり、素材がクラフト紙であることがほとんどの産業用紙袋において、カットテープを用いて開封したときには、紙と紙を２ヶ所引き裂くことになり、針葉樹が原料のクラフト紙としては、特に紙粉をばらまくことになる。まさに、この時に出る紙粉こそ食品関連の会社が嫌う異物混入の根源となるのである。
【００１０】
化粧紙には、図１の１の部分に剥離糊を全面あるいは部分的に塗布することで、開封の際に紙粉を出すことを防げる。すなわち、開封時には、糊層の剥離のみがなされるため、紙が引き裂かれることはなく、したがって紙粉は出ない。
【００１１】
剥離糊の代わりに接着糊を用いると、開封の際、折り畳み部側の紙の表面もしくは、化粧紙側の紙の表面が引き裂かれることになり、やはり紙粉が発生してしまうため、内容物の重量に耐えうる強度を持つ程度の剥離糊を使用するのが好ましい。
【００１２】
図１の２の折り返し部分は、開封時に指で開封しやすくするための構造であり、多重折りすることで、より持ちやすくなることは言うまでもない。この折り返しの幅は、５ｍｍ〜２０ｍｍが好ましいが、内容物が入った状態での移動の際、折り返しの部分が引っかかって、移動途中で開封されてしまうことのないような折り返し幅を、袋の大きさ等に合わせて考慮することが必要である。
【実施例１】
【００１３】
製粉袋として使用する場合は、内容物に小麦粉を充填する場合が多く、重量は２５ｋｇのサイズが多く出回っている。この時の一般的な袋のサイズは、たて６４５ｍｍ、よこ４９５ｍｍ、底幅９２ｍｍで、その時の化粧紙の寸法は４００ｍｍ×９２ｍｍの長方形で、化粧紙の折り返し部を１０ｍｍにして、酢酸ビニール系：ワックス系-=７０重量％：３０重量％の剥離糊を化粧紙の接着面に縦に４〜５本で４０％の面積に塗布した（図２）。
実際のパン用小麦粉を充填したところ、図３に示すようなマッチ箱のような直方体になった。配付けは、人の手でのハンドリングによって１，１００ｍｍ×１，２５０ｍｍの樹脂製パレットに、一段に５袋を配置し、１０段に積み上げた。それを荷崩れしないようにラップで巻き、リフトで敷地内に準備したトラックまで運んだ。その間の粉漏れはなく、かつ破袋も見受けられなかった。したがって、１０段積みした圧力にも充分耐え得る強度であった。ちなみに、在庫した１０段積みのパレットは、縦に３段に積んであり、３０日間放置後、一切破袋は認められなかった。従って、実際には３０段積みの圧力に耐えたことになる。また、運搬時にも、破袋しないことはもちろん、粉漏れがなく、さらに、使用時には、本発明である開封側にある折り返し部分から化粧紙を引きはがすことで、異物が内容物に混入することなく、かつ容易な開封が実現できるため、使用者は、安心して内容物を使用することができた。
【実施例２】
【００１４】
実施例１の製粉袋で、化粧紙の９０％の面積に剥離糊を貼付しても、実施例１と同じく、小麦粉の充填から内容物の使用に至るまで粉漏れはなく、破袋も認められなかった。また、使用時（開封時）には、紙粉が発生することなく、安全に内容物を使用することができた。
【実施例３】
【００１５】
実施例１の製粉袋で、接着剤として使う剥離糊を調合する際、ＷＡＸ剤を８０％超にすると、配付けの際、１０段積みしたときに、圧力に耐えきれずに、１袋が開封部側から破袋して、内容物の小麦粉がこぼれてしまった。これは、剥離機能の方が強まりすぎて、接着機能が弱まり、強度が保てなくなった結果である。
【実施例４】
【００１６】
実施例１の製粉袋で、化粧紙に従来のカットテープを使った場合、開封する際、どうしてもカットテープがクラフト紙を２箇所も引き裂くことになり、何百袋という大量の袋を開封するうちに、クラフト紙を引き裂いたときに出る細かい紙粉が粉塵となり、内容物に混入する可能性は充分考えられ、内容物の品質劣化に繋がる原因になったり、食の安全を脅かすことになる。
【図面の簡単な説明】
【００１７】
【図１】本発明の開封容易紙袋の一例を示す斜視図である。
【図２】化粧紙につけた糊の一例図
【図３】小麦粉を充填した状態図
【符号の説明】
【００１８】
１剥離糊塗布部
２折り返し部
３化粧紙
４袋本体
５剥離糊
【図１】
2009107689.tif 000003
【図２】
2009107689.tif 000004
【図３】
2009107689.tif 000005